(57)【要約】【課題】容易に携帯することができて衛生的な携帯用トイレ及びその使用方法を得る。【解決手段】表フィルム１１と、裏フィルム１２と、底（マチ）フィルム１３とからなる合成樹脂フィルム製の袋本体１０と、ファスナ１５の閉止用スライダ２０とからなる携帯用トイレ。排便時には、ファスナ１５を開けて外側に折り返して開口部１０ａを広げるとともに、底フィルム１３を広げて袋本体１０をほぼ箱形状とする。ファスナ１５は必要な剛性を備え、外側に折り返した際に開口部１０ａを大きく開けた状態及び壁面部の保形性を維持する。【選択図】図２
2008149060.tif 000002
【特許請求の範囲】
【請求項１】
表フィルムと、裏フィルムと、底フィルムとからなる長方形の合成樹脂フィルム製袋本体からなり、
前記袋本体の長辺は２０ｃｍ以上の長さを有し、該長辺上端は開口部とされ、該開口部の内側には一対のベース部にそれぞれ設けた凹部及び凸部とからなるファスナが取り付けられ、該ファスナのベース部は３ｍｍ以上の幅を有するとともに１００μｍ以上の厚みを有し、かつ、向かい合うベース部の長手方向両端部は２ｍｍ以上に互いに溶着されており、
前記ファスナは開けて外側に折り返し、開口部を広げることで該開口部を大きく開けた状態で保形し、
前記長辺底部は前記底フィルムを広げることによってほぼ平坦となること、
を特徴とする携帯用トイレ。
【請求項２】
前記ファスナを閉じるためのスライダを備えたことを特徴とする請求項１に記載の携帯用トイレ。
【請求項３】
表フィルムと、裏フィルムと、底フィルムとからなる長方形の合成樹脂フィルム製袋本体からなり、
前記袋本体の長辺は２０ｃｍ以上の長さを有し、該長辺上端は開口部とされ、該開口部の内側には一対のベース部にそれぞれ設けた凹部及び凸部とからなるファスナが取り付けられ、該ファスナのベース部は３ｍｍ以上の幅を有するとともに１００μｍ以上の厚みを有し、かつ、向かい合うベース部の長手方向両端部は２ｍｍ以上に互いに溶着されている、
携帯用トイレの使用方法であって、
前記ファスナを開けて外側に折り返して開口部を広げるとともに、前記底フィルムを広げて袋本体をほぼ箱形状とすること、
を特徴とする携帯用トイレの使用方法。
【発明の詳細な説明】
【技術分野】
【０００１】
本発明は、携帯用トイレ、特に、合成樹脂フィルムからなる携帯用トイレ及びその使用方法に関する。
【背景技術】
【０００２】
従来から、簡易トイレとして、段ボールからなる箱体に吸水ポリマーを入れたプラスチック製袋を収納したものが種々提供されている。この種の簡易トイレの蓄尿袋としては特許文献１に記載のものが知られており、通常のポリ袋を使用したもので、ポリ袋の開口部を縛るためのひもを添えて市販されている。また、開口部周辺に巾着式にひもを通したポリ袋も市販されている。
【０００３】
しかしながら、これらの簡易トイレは、実際の使用時にはポリ袋を段ボールなどで保形性を保たなければならず、容易に携帯できるものではなかった。また、使用後におけるポリ袋の密閉性が悪く、悪臭や汚物の漏れ出しがあった。
【特許文献１】実開昭５６−９７０９４号公報
【発明の開示】
【発明が解決しようとする課題】
【０００４】
そこで、本発明の目的は、容易に携帯することができて衛生的な携帯用トイレ及びその使用方法を提供することにある。
【課題を解決するための手段】
【０００５】
以上の目的を達成するため、本発明に係る携帯用トイレは、
表フィルムと、裏フィルムと、底フィルムとからなる長方形の合成樹脂フィルム製袋本体からなり、
前記袋本体の長辺は２０ｃｍ以上の長さを有し、該長辺上端は開口部とされ、該開口部の内側には一対のベース部にそれぞれ設けた凹部及び凸部とからなるファスナが取り付けられ、該ファスナのベース部は３ｍｍ以上の幅を有するとともに１００μｍ以上の厚みを有し、かつ、向かい合うベース部の長手方向両端部は２ｍｍ以上に互いに溶着されており、
前記ファスナは開けて外側に折り返し、開口部を広げることで該開口部を大きく開けた状態で保形し、
前記長辺底部は前記底フィルムを広げることによってほぼ平坦となること、
を特徴とする。
【０００６】
携帯用トイレとして使用可能な袋本体の構造は、（１）排便受け口となり得る大きさで開口し、その開口状態を保持できる開口部、（２）袋本体を安定して置くことができる底面部、（３）倒れない壁面部、（４）使用後の封止手段、を備えていることが条件となる。
【０００７】
本発明に係る携帯用トイレは、長方形の合成樹脂フィルム製の袋本体からなり、長方形の長辺を２０ｃｍ以上とし、該長辺上端を開口部とすることとファスナを外側に折り返すことで前記（１）の条件を満たし、長辺底部は底フィルムを広げてほぼ平坦にすることで前記（２）の条件を満たし、ファスナの向かい合うベース部の長手方向両端部が２ｍｍ以上に互いに溶着されていることで壁面部（表裏フィルム）の保形性を確保して前記（３）の条件を満たし、さらに、開口部に凹部と凸部とからなるファスナを設けることで前記（４）の条件を満たしている。しかも、ファスナのベース部は３ｍｍ以上の幅を有するために好ましい剛性を備え、使用時にファスナを外側に折り返して広げた場合に、開口部の保形性が良好であるとともに袋本体が箱形状を良好に保持する。
【０００８】
本発明に係る携帯用トイレにおいては、前記ファスナを閉じるためのスライダを備えることが好ましく、使用後に手を汚すことなく容易に開口部を閉止することができる。
【０００９】
本発明に係る携帯用トイレの使用方法は、前記ファスナを開けて外側に折り返して開口部を広げるとともに、底フィルムを広げて袋本体をほぼ箱形状とすることを特徴とする。
【００１０】
本発明に係る使用方法においては、前記携帯用トイレを用い、ファスナを外側に折り返して開口部を広げることで大きく開口した開口部の保形性を保持し、倒れることなく壁面部（表裏フィルム）の保形性を保持し、かつ、使用後の封止性が良好で衛生的に使用することができる。
【発明を実施するための最良の形態】
【００１１】
以下、本発明に係る携帯用トイレ及びその使用方法の実施例について、添付図面を参照して説明する。
【００１２】
図１は本発明の一実施例である携帯用トイレの携帯時を示し、合成樹脂フィルム製の袋本体１０と閉止用スライダ２０とで構成されている。袋本体１０は、長方形であり、表フィルム１１と裏フィルム１２と底（マチ）フィルム１３とで構成されている。表裏フィルム１１，１２の短辺両端部は、以下に説明するファスナ１５のベース部１６を含めて熱溶着されている（溶着部ａ，ｂ）。底フィルム１３は表裏フィルム１１，１２の間であって下部に折り返して挿入され、下部で表裏フィルム１１，１２と熱溶着され（溶着部ｃ）、いわゆるガゼット袋を構成している。
【００１３】
また、袋本体１０の長辺上端は開口部１０ａとされ、該開口部１０ａの内側には、図５に示すように、ベース部１６にそれぞれ凹部１７及び凸部１８を設けたファスナ１５が取り付けられている。このファスナ１５は、凹部１７及び凸部１８が嵌合／解除可能な周知の構成を有する密封性を備えたものであり、ベース部１６がそれぞれ表裏フィルム１１，１２の内側に溶着されている。また、閉止するためのスライダ２０も周知のものである。
【００１４】
前記フィルム１１，１２，１３は、ポリエチレン、ポリプロピレン、ポリアミド、ポリエチレンテレフタレートなどの合成樹脂フィルム、あるいは、これらのラミネートフィルムからなり、厚みは２０〜１００μｍである。ファスナ１５は、ベース部１６の幅が少なくとも３ｍｍで、厚みが１００〜３００μｍとされている。そして、向かい合うベース部１６の長手方向両端部は２ｍｍ以上に互いに溶着されている。従って、本実施例では、溶着部ａ，ｂの幅は少なくとも２ｍｍである。但し、本発明では、ベース部１６の長手方向両端部が少なくとも２ｍｍに溶着されていればよく、表裏フィルム１１，１２の両端部は２ｍｍ以下の溶着幅であってもよい。袋本体１０のサイズは、例えば、長辺が３０ｃｍ、短辺が１３ｃｍであり、底フィルム１３の広げた状態での幅は１１ｃｍである。また、ファスナ１５はベース部１６の幅が３〜５０ｍｍとされている。
【００１５】
以上の構成からなる携帯用トイレは、図２に示すように、底フィルム１３を横方向に広げることで逆Ｔ字形状をなし、安定して置くことができる。そして、図３に示すようにファスナ１５を開けて開口部１０ａを広げ、次に、図４に示すように、ファスナ１５を外側に折り返し、開口部１０ａを矢印Ｐで示すように外方に大きく広げる。これにて、袋本体１０はほぼ箱形状を保持し、排便はこの状態で行われる。
【００１６】
ファスナ１５はベース部１６の向かい合う長手方向両端部が２ｍｍ以上に互いに溶着されており、かつ、外側に折り返すことにより、開口部１０ａは矢印Ｐ方向への大きな開口状態を保持するので排便で開口部１０ａが汚れることが極力防止される。また、開口部１０ａが楕円形を維持していることと、３ｍｍ以上であるベース部１６の幅方向の硬さによって支持されていることにより、表裏フィルム１１，１２は倒れることのない壁面部を形成する。
【００１７】
排便後は、紙などを袋本体１０に入れ、ファスナ１５を元に戻して（凹部１７と凸部１８を対向させて）スライダ２０を用いて開口部１０ａを閉止する。これにて、手を汚すことなく袋本体１０を封止でき、衛生的である。
【００１８】
このような携帯用トイレは、かさばらないので防災グッズの一つとして常備するのに好適であり、あるいは、野外での行動に携帯するのにも便利である。
【００１９】
（他の実施例）
なお、本発明に係る携帯用トイレ及びその使用方法は前記実施例に限定するものではなく、その要旨の範囲内で種々に変更することができる。
【００２０】
特に、袋本体などの寸法や厚みは前記実施例に示した数値に限定するものではなく、細部の構造は任意である。また、ファスナは凹部や凸部が２重になった構造のものを使用すれば、より密閉性を高めることができ、保形性も向上する。
【図面の簡単な説明】
【００２１】
【図１】本発明の一実施例である携帯用トイレを示し、（Ａ）は折り畳んだ状態の正面図、（Ｂ）はその断面図。
【図２】図１に示した携帯用トイレの底フィルムを延ばした状態を示し、（Ａ）は斜視図、（Ｂ）はその断面図である。
【図３】図２に示した携帯用トイレのファスナを開けた状態を示す斜視図である。
【図４】図３に示した携帯用トイレのファスナを外側に折り曲げた状態を示し、（Ａ）は斜視図、（Ｂ）は断面図である。
【図５】ファスナを示す側面図である。
【符号の説明】
【００２２】
１０…袋本体
１１…表フィルム
１２…裏フィルム
１３…底（マチ）フィルム
１５…ファスナ
１６…ベース部
１７…凹部
１８…凸部
２０…スライダ
【図１】
2008149060.tif 000003
【図２】
2008149060.tif 000004
【図３】
2008149060.tif 000005
【図４】
2008149060.tif 000006
【図５】
2008149060.tif 000007
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
表フィルムと、裏フィルムと、底フィルムとからなる長方形の合成樹脂フィルム製袋本体からなり、
前記袋本体の長辺は２０ｃｍ以上の長さを有し、該長辺上端は開口部とされ、該開口部の内側には一対のベース部にそれぞれ設けた凹部及び凸部とからなるファスナが取り付けられ、該ファスナのベース部は３ｍｍ以上の幅を有するとともに１００μｍ以上の厚みを有し、かつ、向かい合うベース部の長手方向両端部は２ｍｍ以上に互いに溶着した溶着部とされており、
前記ファスナを開けて外側に折り返して開口部を広げることで、該開口部は両端部分が前記溶着部で連続した二つの円弧形状をなした状態で保形し、
前記長辺底部は前記底フィルムを広げることによってほぼ平坦となること、
を特徴とする携帯用トイレ。
【請求項２】
前記ファスナを閉じるためのスライダを備えたことを特徴とする請求項１に記載の携帯用トイレ。
【請求項３】
表フィルムと、裏フィルムと、底フィルムとからなる長方形の合成樹脂フィルム製袋本体からなり、
前記袋本体の長辺は２０ｃｍ以上の長さを有し、該長辺上端は開口部とされ、該開口部の内側には一対のベース部にそれぞれ設けた凹部及び凸部とからなるファスナが取り付けられ、該ファスナのベース部は３ｍｍ以上の幅を有するとともに１００μｍ以上の厚みを有し、かつ、向かい合うベース部の長手方向両端部は２ｍｍ以上に互いに溶着した溶着部とされている、
携帯用トイレの使用方法であって、
前記ファスナを開けて外側に折り返して開口部を広げ、該開口部を両端部分が前記溶着部で連続した二つの円弧形状をなした状態とするとともに、前記底フィルムを広げて袋本体をほぼ箱形状とすること、
を特徴とする携帯用トイレの使用方法。
【手続補正２】
【補正対象書類名】明細書
【補正対象項目名】０００５
【補正方法】変更
【補正の内容】
【０００５】
以上の目的を達成するため、本発明に係る携帯用トイレは、
表フィルムと、裏フィルムと、底フィルムとからなる長方形の合成樹脂フィルム製袋本体からなり、
前記袋本体の長辺は２０ｃｍ以上の長さを有し、該長辺上端は開口部とされ、該開口部の内側には一対のベース部にそれぞれ設けた凹部及び凸部とからなるファスナが取り付けられ、該ファスナのベース部は３ｍｍ以上の幅を有するとともに１００μｍ以上の厚みを有し、かつ、向かい合うベース部の長手方向両端部は２ｍｍ以上に互いに溶着した溶着部とされており、
前記ファスナを開けて外側に折り返して開口部を広げることで、該開口部は両端部分が前記溶着部で連続した二つの円弧形状をなした状態で保形し、
前記長辺底部は前記底フィルムを広げることによってほぼ平坦となること、
を特徴とする。
【手続補正３】
【補正対象書類名】明細書
【補正対象項目名】０００９
【補正方法】変更
【補正の内容】
【０００９】
本発明に係る携帯用トイレの使用方法は、前記ファスナを開けて外側に折り返して開口部を広げ、該開口部を両端部分が前記溶着部で連続した二つの円弧形状をなした状態とするとともに、底フィルムを広げて袋本体をほぼ箱形状とすることを特徴とする。